(57)【要約】【課題】地図を見やすく表示する。【解決手段】出発地から目的地までの経路を地図上に表示する地図表示システムであって、ユーザにより設定された検索条件に基づき、出発地から目的地までの経路を検索する検索手段と、前記経路を示す経路情報と、前記経路の周辺を示す地図情報と、前記経路において目印となる又は曲がり角に存在する案内施設に係る施設情報とを取得する取得手段と、前記経路情報及び前記地図情報に基づいて、地図上に前記経路及び前記施設情報を表示する表示手段と、前記経路及び前記施設情報が表示される第１表示領域と、前記第１表示領域以外の領域となる第２表示領域とをそれぞれ特定する特定手段と、前記第２表示領域をマスクするマスク手段とを有する。【選択図】図７
2018031647.tif 000002
【特許請求の範囲】
【請求項１】
出発地から目的地までの経路を地図上に表示する地図表示システムであって、
ユーザにより設定された検索条件に基づき、出発地から目的地までの経路を検索する検索手段と、
前記経路を示す経路情報と、前記経路の周辺を示す地図情報と、前記経路において目印となる又は曲がり角に存在する案内施設に係る施設情報とを取得する取得手段と、
前記経路情報及び前記地図情報に基づいて、地図上に前記経路及び前記施設情報を表示する表示手段と、
前記経路及び前記施設情報が表示される第１表示領域と、前記第１表示領域以外の領域となる第２表示領域とをそれぞれ特定する特定手段と、
前記第２表示領域をマスクするマスク手段と
を有する地図表示システム。
【請求項２】
前記ユーザの現在地から所定の範囲内に含まれる施設が、前記取得手段により取得された施設情報により示される施設のうち、前記経路に含まれる分岐点から所定の範囲内にある施設である場合、該施設を示す施設情報を強調表示する、
請求項１に記載の地図表示システム。
【請求項３】
前記ユーザの移動手段が更に設定され、
前記移動手段に応じて、前記経路及び前記施設情報が検索される、
請求項１又は２に記載の地図表示システム。
【請求項４】
前記ユーザの移動速度、天気、時刻、前記ユーザの属性、前記経路における曲がり角か否か、前記目的地の周辺か否か又はこれらの組み合わせによって、前記第１表示領域及び前記第２表示領域のそれぞれの範囲を変更する、
請求項１乃至３の何れか一項に記載の地図表示システム。
【請求項５】
前記マスク手段は、
前記ユーザの現在位置が屋内か否かによって、マスクの表示を変更する、
請求項１乃至４の何れか一項に記載の地図表示システム。
【請求項６】
前記マスク手段は、
前記第２表示領域を前記第１表示領域より暗くする、前記第２表示領域を表示する透過率を変更する、前記第２表示領域を所定の色で塗り潰す、前記第２表示領域をグレーアウトさせる、又は、前記第２表示領域をグラデーションにして表示するマスク処理を行う、
請求項１乃至５の何れか一項に記載の地図表示システム。
【請求項７】
出発地から目的地までの経路を地図上に表示する地図表示システムに用いられる地図表示方法であって、
ユーザにより設定された検索条件に基づき、出発地から目的地までの経路を検索する検索手順と、
前記経路を示す経路情報と、前記経路の周辺を示す地図情報と、前記経路において目印となる又は曲がり角に存在する案内施設に係る施設情報とを取得する取得手順と、
前記経路情報及び前記地図情報に基づいて、地図上に前記経路及び前記施設情報を表示する表示手順と、
前記経路及び前記施設情報が表示される第１表示領域と、前記第１表示領域以外の領域となる第２表示領域とをそれぞれ特定する特定手順と、
前記第２表示領域をマスクするマスク手順と
を有する地図表示方法。
【請求項８】
出発地から目的地までの経路を地図上に表示するコンピュータを、
ユーザにより設定された検索条件に基づき、出発地から目的地までの経路を検索する検索手段と、
前記経路を示す経路情報と、前記経路の周辺を示す地図情報と、前記経路において目印となる又は曲がり角に存在する案内施設に係る施設情報とを取得する取得手段と、
前記経路情報及び前記地図情報に基づいて、地図上に前記経路及び前記施設情報を表示する表示手段と、
前記経路及び前記施設情報が表示される第１表示領域と、前記第１表示領域以外の領域となる第２表示領域とをそれぞれ特定する特定手段と、
前記第２表示領域をマスクするマスク手段
として機能させるプログラム。
【請求項９】
ネットワークを介して接続される経路検索装置において検索された経路を表示する経路表示装置であって、
前記経路を示す経路情報と、前記経路の周辺を示す地図情報と、前記経路において目印となる又は曲がり角に存在する案内施設に係る施設情報とを取得する取得手段と、
前記経路情報及び前記地図情報に基づいて、地図上に前記経路及び前記施設情報を表示する表示手段と、
前記経路及び前記施設情報が表示される第１表示領域と、前記第１表示領域以外の領域となる第２表示領域とをそれぞれ特定する特定手段と、
前記第２表示領域をマスクするマスク手段と
を有する経路表示装置。
【発明の詳細な説明】
【技術分野】
【０００１】
本発明は、地図表示システム、地図表示方法、プログラム及び経路表示装置に関する。
【背景技術】
【０００２】
携帯電話、スマートフォン及びカーナビゲーション等の端末装置において、地図を表示して、ユーザが所望する目的地までの経路案内を行う技術が従来から知られている。
【０００３】
また、経路案内において、経路に含まれる曲がり角付近に存在する施設の施設名を用いて、当該曲がり角において曲がるべき方向を案内する技術が知られている（例えば特許文献１参照）。
【０００４】
他に、まず、複数のレイヤを合成して、現在位置周辺の地図画像が作成される。次に、ナビゲーション装置が、案内経路以外をグレーアウトさせてから経路案内画像を表示する技術が知られている（例えば特許文献２参照）。
【０００５】
さらに、まず、表示制御装置が、案内経路から所定の範囲を特定し、案内経路と、案内経路に対して所定幅となる領域とを特定する。次に、表示制御装置が、角に存在し、案内に使用される案内施設と、案内施設から所定範囲となる領域とを特定する。そして、表示制御装置が、特定された、案内経路、案内経路に対して所定幅の領域及び案内施設から所定範囲広げた領域を白抜きにする。このようにして、ユーザに瞬時に進路を認識させる技術が知られている（例えば特許文献３参照）。
【先行技術文献】
【特許文献】
【０００６】
【特許文献１】特開２０１５−１５０２号公報
【特許文献２】特開２０１１−２１４８７６号公報
【特許文献３】特開２０１３−３００５号公報
【発明の概要】
【発明が解決しようとする課題】
【０００７】
従来技術では、施設の形状（ポリゴン）より所定範囲広げた領域を非マスク領域、すなわち、白抜きとする領域に加えている。しかしながら、経路案内において目印となる施設又は曲がり角に存在する施設（以下「案内施設」という。）を経路案内に使用する場合には、案内施設を示す形状、案内施設に係る施設名称等を示す注記情報、施設のロゴ等を示すアイコン又はこれらの組み合わせ等の情報（以下「施設情報」という。）が、経路案内には必要となる場合が多い。従来技術では、案内施設に係る施設情報がグレーアウトされ、見にくい場合がある。
【０００８】
本発明の実施の形態は、上記の点に鑑みてなされたものであり、地図を見やすく表示することを目的とする。
【課題を解決するための手段】
【０００９】
上記目的を達成するため、本発明の実施の形態では、出発地から目的地までの経路を地図上に表示する地図表示システムは、
ユーザにより設定された検索条件に基づき、出発地から目的地までの経路を検索する検索手段と、
前記経路を示す経路情報と、前記経路の周辺を示す地図情報と、前記経路において目印となる又は曲がり角に存在する案内施設に係る施設情報とを取得する取得手段と、
前記経路情報及び前記地図情報に基づいて、地図上に前記経路及び前記施設情報を表示する表示手段と、
前記経路及び前記施設情報が表示される第１表示領域と、前記第１表示領域以外の領域となる第２表示領域とをそれぞれ特定する特定手段と、
前記第２表示領域をマスクするマスク手段とを有する。
【発明の効果】
【００１０】
本発明の実施の形態によれば、地図を見やすく表示することができる。
【図面の簡単な説明】
【００１１】
【図１】本実施形態に係る地図表示システムの一例のシステム構成を示す図である。
【図２】本実施形態に係るクライアント端末及びサーバ装置の一例のハードウェア構成を示す図である。
【図３】本実施形態に係る地図表示システムの一例の機能構成を示す図である。
【図４】本実施形態に係る全体処理の一例を示すシーケンス図である。
【図５】本実施形態に係る案内施設に係る施設情報等の配置結果例を示す図である。
【図６】本実施形態に係る第１表示領域及び第２表示領域の特定例を示す図である。
【図７】経路案内において表示される画面の一例を説明する図である。
【図８】本実施形態に係る全体処理の一例を示すフローチャートである。
【図９】経路案内画面の一例を説明する図である。
【図１０】経路案内画面の表示及び更新の一例を説明する図である。
【図１１】施設アイコンの表示位置の更新例を説明する図である。
【図１２】経路案内画面の他の例を示す図である。
【図１３】屋内用の経路案内画面の例を示す図である。
【発明を実施するための形態】
【００１２】
以下、本発明の実施形態について、図面を参照しながら説明する。
【００１３】
＜システム構成例＞
まず、本実施形態に係る地図表示システム１のシステム構成について、図１を参照しながら説明する。
【００１４】
図１は、本実施形態に係る地図表示システムの一例のシステム構成を示す図である。
【００１５】
図１に示す地図表示システム１は、クライアント端末１０と、サーバ装置２０とを有し、各装置は、インターネット又は電話回線網等の広域的なネットワークＮを介して通信可能に接続されるシステム構成である。なお、クライアント端末１０は、経路表示装置の例であり、サーバ装置２０は、経路検索装置の例である。
【００１６】
クライアント端末１０は、ユーザが利用するスマートフォン、携帯電話、タブレット端末、ゲーム機器又はウェアラブル端末等の各種の情報処理装置である。以下、クライアント端末１０が、ユーザが移動しながら地図を見ることができるスマートフォンである例で説明する。
【００１７】
ユーザは、クライアント端末１０を操作して、所望の出発地及び目的地等の検索条件を設定する。このようにして、出発地及び目的地が設定されると、サーバ装置２０は、出発地から目的地までの経路を検索することができる。そして、クライアント端末１０は、検索された経路を地図（電子地図）上に表示させることで経路案内を行う。なお、経路には、出発地及び目的地に加えて、検索条件に基づいて、出発地から目的地までの間に経由する交差点、Ｔ字路及び各種施設等を示す経由地が含まれても良い。
【００１８】
これにより、ユーザは、地図上に表示された経路に従って、出発地から目的地まで向かうことができるようになる。すなわち、本実施形態に係る地図表示システム１は、クライアント端末１０を操作するユーザに対して、出発地から目的地までの経路案内を提供することができる。
【００１９】
また、サーバ装置２０は、経路を検索する情報処理装置である。そして、サーバ装置２０は、クライアント端末１０に対して、ユーザにより設定された検索条件に基づいて、出発地から目的地までの経路を検索する。次に、サーバ装置２０は、検索された経路を地図上に重畳してクライアント端末１０に表示させる。
【００２０】
また、サーバ装置２０は、検索された経路の周辺に存在する各種施設等を示すアイコン（施設アイコン）又は注記（施設注記）等の施設情報をクライアント端末１０に表示させる。例えば、施設アイコンは、信号機等の地図表示記号、コンビニ、レストラン等のロゴマーク又はランドマーク等である。一方で、施設注記は、例えば、ビル名等の施設名、店舗名等の地図に表示される名称又は地名等である。
【００２１】
なお、システム構成は、図示する構成に限られない。例えば、システム構成は、各装置を補助する補助装置が更にあっても良い。
【００２２】
＜ハードウェア構成例＞
次に、本実施形態に係る地図表示システム１に含まれるクライアント端末１０及びサーバ装置２０のハードウェア構成について、図２を参照しながら説明する。
【００２３】
図２は、本実施形態に係るクライアント端末及びサーバ装置の一例のハードウェア構成を示す図である。
【００２４】
図２（ａ）に示すクライアント端末１０は、ＣＰＵ（Central Processing Unit）１１と、ＲＯＭ（Read Only Memory）１２と、ＲＡＭ（Random Access Memory）１３と、記憶装置１４とを有する。また、クライアント端末１０は、入力装置１５と、表示装置１６と、通信装置１７と、ＧＰＳ（Global Positioning System）受信機１８とを有する。
【００２５】
ＣＰＵ１１は、各種プログラムの実行や演算処理を行う演算装置及び制御装置である。また、ＲＯＭ１２は、起動時に必要なプログラム等が記憶される。さらに、ＲＡＭ１３は、ＣＰＵ１１での処理を一時的に記憶したり、データを記憶したりする作業エリアである。さらにまた、記憶装置１４は、各種データやプログラム等を記憶する。
【００２６】
入力装置１５は、例えばタッチパネル等であり、ユーザの各種操作を受け付ける。また、表示装置１６は、ディスプレイ等であり、クライアント端末１０の処理結果を表示する。さらに、通信装置１７は、ネットワークＮを介してサーバ装置２０と通信を行う。
【００２７】
ＧＰＳ受信機１８は、ＧＰＳから所定の電波を受信して、クライアント端末１０の現在の位置を示す緯度及び経度の測定を行う。
【００２８】
本実施形態に係るクライアント端末１０は、上記のハードウェア構成を有することにより、後述する各所処理を実現できる。
【００２９】
図２（ｂ）に示すサーバ装置２０は、ＣＰＵ２１と、ＲＯＭ２２と、ＲＡＭ２３と、記憶装置２４と、入力装置２５と、表示装置２６と、通信装置２７とを有する。
【００３０】
ＣＰＵ２１は、各種プログラムの実行や演算処理を行う。また、ＲＯＭ２２は、起動時に必要なプログラム等が記憶されている。さらに、ＲＡＭ２３は、ＣＰＵ２１での処理を一時的に記憶したり、データを記憶したりする作業エリアである。さらにまた、記憶装置２４は、各種データやプログラム等を記憶する。
【００３１】
入力装置２５は、例えばキーボードやマウス等であり、各種操作を受け付ける。また、表示装置２６は、ディスプレイ等であり、サーバ装置２０の処理結果を表示する。なお、入力装置２５及び表示装置２６の少なくとも一方は、必要なときにサーバ装置２０に接続して利用する形態であっても良い。通信装置２７は、ネットワークＮを介してクライアント端末１０と通信を行う。
【００３２】
本実施形態に係るサーバ装置２０は、上記のハードウェア構成を有することにより、後述する各種処理を実現できる。
【００３３】
また、各ハードウェア構成は、図示する構成に限られない。例えば、各装置は、更に演算装置、制御装置又は記憶装置を有しても良い。
【００３４】
＜機能構成例＞
次に、本実施形態に係る地図表示システム１の機能構成について、図３を参照しながら説明する。
【００３５】
図３は、本実施形態に係る地図表示システムの一例の機能構成を示す図である。
【００３６】
図３に示すクライアント端末１０は、入力受付部１０１と、表示処理部１０２と、現在地取得部１０３と、通信部１０４と、特定処理部１０６と、マスク処理部１０７とを有する。これら各機能部は、クライアント端末１０等のコンピュータにインストールされた１以上のプログラムが、ＣＰＵ１１に実行させる処理により実現される。
【００３７】
また、クライアント端末１０は、一時記憶部１０５を有する。当該記憶部は、例えば記憶装置１４を用いて実現可能である。
【００３８】
入力受付部１０１は、ユーザからの各種操作を受け付ける。例えば、入力受付部１０１は、出発地や目的地等の検索条件を設定するための入力操作を受け付ける。
【００３９】
表示処理部１０２は、各種の情報を表示する。例えば、表示処理部１０２は、経路案内の地図や当該地図上の経路、現在地アイコン、施設アイコン、施設注記等を表示すると共に、ユーザの現在地に応じて現在地アイコンや施設アイコン、施設注記等の表示を更新する。ここで、表示処理部１０２は、表示部１１２と、更新部１２２とを有する。
【００４０】
表示部１１２は、経路案内の地図や当該地図上の経路、現在地アイコン、施設アイコン、施設注記等を表示する。なお、表示部１１２は、地図や当該地図上の経路、施設アイコン、施設注記等を、例えば、複数のレイヤーにそれぞれ描画して、重畳させることにより表示する。
【００４１】
更新部１２２は、ユーザの現在地に応じて、地図上の現在地アイコンの位置（表示位置）や施設アイコンの位置（表示位置）を更新する。また、更新部１２２は、ユーザの現在地に応じて、分岐点アイコンや分岐点注記が強調して表示されるように更新する。
【００４２】
現在地取得部１０３は、ユーザの現在地（すなわち、クライアント端末１０のＧＰＳ受信機１８により測定された緯度及び経度）を取得する。
【００４３】
通信部１０４は、サーバ装置２０に対して各種要求を送信すると共に、当該要求に対する応答を受信する。例えば、通信部１０４は、検索条件を設定するための入力操作を入力受付部１０１が受け付けたことに応じて、サーバ装置２０に対して、当該検索条件を含む検索要求を送信する。また、例えば、通信部１０４は、当該検索要求に対する検索応答を受信する。
【００４４】
なお、検索応答には、例えば、表示部１１２により表示される地図に関する情報（地図情報）、当該地図上の経路に関する情報（経路情報）及び施設アイコン若しくは施設注記等の施設情報が含まれる。
【００４５】
一時記憶部１０５は、検索応答に含まれる地図情報や経路情報、施設情報を記憶する。したがって、上述した表示部１１２は、一時記憶部１０５に記憶されている地図情報や経路情報、施設アイコン、施設注記に基づいて、経路案内の地図や当該地図上の経路、施設アイコン、施設注記を表示する。同様に、上述した更新部１２２は、一時記憶部１０５に記憶されている施設アイコンや施設注記に基づいて、地図上の施設アイコンや施設注記の位置を更新すると共に、地図上の分岐点アイコンや分岐点注記が強調して表示されるように更新する。
【００４６】
特定処理部１０６は、表示部１１２により表示される地図情報において、経路及び経路において目印となる施設又は曲がり角に存在する案内施設に係る施設情報が表示される領域（以下「第１表示領域」という。）を特定する。また、特定処理部１０６は、表示部１１２により表示される地図情報において、第１表示領域以外の領域（以下「第２表示領域」という。）を特定する。
【００４７】
マスク処理部１０７は、特定処理部１０６によって特定される第２表示領域をマスクする。すなわち、マスク処理部１０７は、第２表示領域に特定された地図上の領域が、第１表示領域とは異なるように表示されるように、変更する。例えば、マスク処理部１０７は、第２表示領域をグレー表示し、第１表示領域より暗く表示する。
【００４８】
なお、地図情報は、例えば、緑地や河川、道路、鉄道及び都道府県等の表示対象の種類毎に分類され、緯度及び経度等が既知のメッシュ状に区切られた情報で管理されている。そして、表示対象の種類毎に分類された地図情報は、縮尺に応じて、当該種類毎にあらかじめ定められたレイヤーに、メッシュ毎に描画されることで表示される。したがって、クライアント端末１０に表示される地図は、表示対象の種類毎に分類された地図情報がそれぞれ描画されたメッシュ状のレイヤーを、１つ以上結合して重畳することにより表示される。
【００４９】
図３に示すサーバ装置２０は、検索処理部２０１と、情報取得部２０２と、通信部２０３とを有する。これら各機能部は、サーバ装置２０等のコンピュータにインストールされた１以上のプログラムが、ＣＰＵ２１に実行させる処理により実現される。
【００５０】
また、サーバ装置２０は、情報記憶部２０４を有する。当該記憶部は、例えば記憶装置２４を用いて実現可能である。
【００５１】
検索処理部２０１は、クライアント端末１０から受信した検索要求に含まれる検索条件に基づいて経路を検索する。すなわち、検索処理部２０１は、例えば、検索条件に含まれる出発地から目的地までの経路であって、当該検索条件に含まれる経由地を経由する経路を検索して、当該経路を示す経路情報を取得する。
【００５２】
情報取得部２０２は、検索処理部２０１により検索された経路に対応する地図情報や施設アイコン、施設注記（例えば、経路を含む周囲の地図の地図情報、経路沿いにある施設の施設アイコンや施設注記）等の施設情報を情報記憶部２０４から取得する。
【００５３】
通信部２０３は、クライアント端末１０からの検索要求を受信すると共に、当該検索要求に対する検索応答を送信する。例えば、通信部２０３は、検索処理部２０１により取得された経路情報、情報取得部２０２により取得された地図情報や施設アイコン、施設注記等を含む検索応答をクライアント端末１０に送信する。
【００５４】
情報記憶部２０４は、クライアント端末１０に地図を表示させるための地図情報、地図上に表示される施設情報を記憶する。なお、情報記憶部２０４は、地図上に表示される現在地アイコン等が記憶されていても良い。
【００５５】
＜処理例の詳細＞
以下、本実施形態に係る地図表示システム１が行う処理例の詳細について、図４を参照しながら説明する。
【００５６】
図４は、本実施形態に係る全体処理の一例を示すシーケンス図である。
【００５７】
まず、クライアント端末１０の入力受付部１０１（図３）は、検索条件を設定するための入力操作を受け付ける（ステップＳ１０）。具体的には、入力受付部１０１は、ユーザが所望する目的地、出発地、経由地又はこれらの組み合わせ等の検索条件を受け付ける。すなわち、ユーザが目的地及び出発地の位置又は名称等を入力する操作を行うと、検索条件は、設定される。
【００５８】
なお、出発地には、例えば、現在地取得部１０３（図３）により取得されたユーザの現在地（すなわち、クライアント端末１０のＧＰＳ受信機１８により測定された緯度及び経度）が用いられても良い。また、出発地には、例えば、Ｗｉ−Ｆｉ等の無線ＬＡＮの受信強度に基づき測定された現在地が用いられても良い。
【００５９】
クライアント端末１０の通信部１０４（図３）は、入力受付部１０１により検索条件を設定するための入力操作を受け付けると、検索要求をサーバ装置２０に送信する（ステップＳ１１）。なお、検索要求には、ステップＳ１０で設定された検索条件が含まれる。
【００６０】
サーバ装置２０の検索処理部２０１（図３）は、通信部２０３（図３）により検索要求を受信すると、当該検索要求に含まれる検索条件に基づいて経路を検索する（ステップＳ１２）。すなわち、検索処理部２０１は、検索条件に含まれる出発地から目的地までの経路を検索して、検索結果として経路情報を取得する。なお、検索条件に経由地が設定される場合には、検索処理部２０１は、当該検索条件によって設定される出発地から目的地までの経路であって、当該経由地を経由する経路を検索する。
【００６１】
続いて、サーバ装置２０の情報取得部２０２は、案内施設を検索する（ステップＳ１３）。具体的には、まず、情報取得部２０２は、経路と検索された箇所の付近に案内施設となる施設がないかを検索し、検索された経路に対応する地図情報及び案内施設に係る施設情報を取得する。具体的には、検索された経路の周辺に、目印となる建物がある場合には、情報取得部２０２は、このような建物を案内施設として検索し、案内施設に係る施設情報を取得する。
【００６２】
特に、曲がり角となる箇所等に、施設があると、地図表示システム１は、ユーザに対して、曲がり角を知らせる案内施設を表示することができる。このような案内施設が表示されると、ユーザは、曲がり角がどこであるかが認識しやすい。つまり、ユーザは、案内施設を目印として進行すれば、曲がり角等があっても、迷わずに進むことができる。
【００６３】
次に、サーバ装置２０の通信部２０３は、ステップＳ１１による検索要求に対する検索応答をクライアント端末１０に送信する（ステップＳ１４）。なお、検索応答には、検索処理部２０１により検索された経路情報並びに情報取得部２０２によって取得された地図情報及び案内施設に係る施設情報等が含まれる。
【００６４】
まず、クライアント端末１０の表示処理部１０２は、通信部１０４により検索応答を受信すると（ステップＳ１４）、当該検索応答に含まれる案内施設に係る施設情報、地図情報及び経路情報を一時記憶部１０５に記憶させる。
【００６５】
クライアント端末１０の表示処理部１０２は、一時記憶部１０５に記憶されている地図情報、経路情報及び施設情報に基づいて、案内施設に係る施設情報等を配置する配置位置を決定する（ステップＳ１５）。
【００６６】
具体的には、まず、表示処理部１０２は、地図情報に基づいて、ユーザに対して表示する地図を特定する。次に、表示処理部１０２は、経路情報に基づいて、地図上において、経路となる箇所を特定する。このようにすると、表示する地図及び地図上のどの道が経路となるかが特定される。
【００６７】
そして、表示処理部１０２は、経路及び経路の周辺に位置する案内施設に係る施設情報を表示する。例えば、経路の付近に店舗となる建物がある場合には、表示処理部１０２は、店舗名及び店舗の種類等を示すアイコン等の施設情報を地図上に配置する。なお、地図上に配置される施設を示す情報は、注記、アイコン又はこれらの組み合わせ等でも良い。
【００６８】
なお、案内施設に係る施設情報は、ユーザが地図を見る際に、他の施設と区別しやすいように、例えば、所定の色で塗り潰されて表示されるように、配置されても良い。
【００６９】
案内施設に係る施設情報等が配置される配置位置が決定すると、すなわち、ステップＳ１５が行われると、例えば、以下のような情報が生成される。以下、図５を参照して、ステップＳ１５の処理結果例を説明する。
【００７０】
図５は、本実施形態に係る案内施設に係る施設情報等の配置結果例を示す図である。図示する例は、図示するような地図情報ＩＮＦＭＰが示す地図上に、各情報が配置される例である。具体的には、図示する地図情報ＩＮＦＭＰは、出発地ＳＴＰＮＴから目的地までの一部の地域を拡大した地図を示す。
【００７１】
まず、地図上には、図示するように、経路情報に基づいて、経路ＩＮＦＲＴが、例えば、所定の色で塗り潰されて表示される。そして、経路ＩＮＦＲＴの周辺に、案内施設ＢＬＣＹが、図示するように、地図上に、例えば、所定の色で塗り潰されて表示される。特に、曲がり角ＣＲＮＲがある場合等では、図示するように、案内施設ＢＬＣＹが表示されるのが望ましい。
【００７２】
なお、案内施設ＢＬＣＹは、他の強調方法による表示、施設名又は施設を示すアイコン等によって表示されても良い。
【００７３】
図４に戻り、クライアント端末１０の特定処理部１０６（図３）は、第１表示領域及び第２表示領域を特定する（ステップＳ１６）。以下、図６に示す地図を例に説明する。
【００７４】
図６は、本実施形態に係る第１表示領域及び第２表示領域の特定例を示す図である。まず、ステップＳ１５が行われ、図示するように、地図上に、案内施設に係る施設情報等が配置される配置位置が決定したとする。
【００７５】
そして、特定処理部１０６は、経路ＩＮＦＲＴから所定距離内の範囲を第１表示領域ＶＥ１ＳＴに特定する。具体的には、図示する例では、経路ＩＮＦＲＴから所定距離ＤＩＳ以内の範囲が、第１表示領域ＶＥ１ＳＴに特定される。なお、所定距離ＤＩＳは、あらかじめ設定できる値である。
【００７６】
次に、特定処理部１０６は、経路ＩＮＦＲＴから所定距離ＤＩＳ以内の範囲に加えて、施設名等の施設情報を更に第１表示領域ＶＥ１ＳＴに特定する。具体的には、図示する例では、まず、案内施設ＢＬＣＹを示すポリゴンが地図上に配置される。そして、特定処理部１０６は、それぞれの案内施設ＢＬＣＹの施設名が表示される表示範囲ＶＥＣＹも第１表示領域ＶＥ１ＳＴに特定する。なお、表示範囲ＶＥＣＹは、図示するように施設名等を示す注記に限られず、アイコン等の案内施設に係る施設情報全般が含まれてもよい。
【００７７】
このようにして、経路ＩＮＦＲＴから所定距離ＤＩＳ以内の範囲と、案内施設ＢＬＣＹの施設情報が表示される表示範囲ＶＥＣＹとが、第１表示領域ＶＥ１ＳＴに特定される。すなわち、特定処理部１０６は、案内施設ＢＬＣＹが表示される範囲に加えて、案内施設ＢＬＣＹに係る施設名等の施設情報も、後段のマスク処理において、マスク処理される範囲から外し、施設名等の施設情報等が見やすくなるように、第１表示領域ＶＥ１ＳＴを特定する。なお、経路ＩＮＦＲＴから所定距離ＤＩＳ以内の範囲と、案内施設ＢＬＣＹの施設情報が表示される表示範囲ＶＥＣＹとに加えて、図示するように、表示範囲ＶＥＣＹの周辺が更に、第１表示領域ＶＥ１ＳＴに特定されても良い。表示範囲ＶＥＣＹの周辺の範囲は、任意に設定することができる。一方で、特定処理部１０６は、第１表示領域ＶＥ１ＳＴ以外の範囲を第２表示領域ＶＥ２ＮＤに特定する。
【００７８】
なお、図では、第１表示領域ＶＥ１ＳＴを白色で示し、第２表示領域ＶＥ２ＮＤをグレーで示す。
【００７９】
図４に戻り、クライアント端末１０のマスク処理部１０７（図３）は、第２表示領域をマスクする（ステップＳ１７）。すなわち、マスク処理部１０７は、ステップＳ１６により特定された第２表示領域をマスクする。
【００８０】
なお、マスク処理は、例えば、第２表示領域を第１表示領域より暗くする処理である。すなわち、マスク処理は、いわゆるグレーアウトを行う処理等である。このようなマスク処理が行われると、第１表示領域が第２表示領域より際立ち、第１表示領域が見やすくなる。
【００８１】
次に、クライアント端末１０の表示処理部１０２（図３）は、経路案内を表示する。例えば、以下に示す図７のような画面を表示する。
【００８２】
図７は、経路案内において表示される画面の一例を説明する図である。また、図示する例は、第２表示領域ＶＥ２ＮＤをグレーアウトさせるマスクを行った例である。このように、第２表示領域ＶＥ２ＮＤがマスク処理されると、第１表示領域ＶＥ１ＳＴに特定された案内施設及び案内施設に係る施設情報が、白抜きされた状態で経路案内が表示される。このように、経路案内が表示されると、ユーザは、地図上において、第１表示領域ＶＥ１ＳＴに表示される経路及び施設情報等が見やすい。すなわち、地図表示システム１は、例えば、図８に示すような処理を行うと、経路案内において、ユーザの見やすい地図を表示することができる。
【００８３】
図８は、本実施形態に係る全体処理の一例を示すフローチャートである。
【００８４】
まず、地図表示システム１は、出発地及び目的地等の検索条件を設定する（ステップＳ２０）。次に、地図表示システム１は、出発地から目的地まで、ユーザが移動できる経路を探索する（ステップＳ２１）。
【００８５】
そして、地図表示システム１は、ステップＳ２１で探索された経路を示す経路情報を取得する（ステップＳ２２）。また、地図表示システム１は、ステップＳ２１で探索された経路の周辺を示す地図情報を取得する（ステップＳ２２）。さらに、地図表示システム１は、ステップＳ２１で探索された経路において、案内施設を検索し、案内施設の施設情報を取得する（ステップＳ２２）。
【００８６】
続いて、地図表示システム１は、第１表示領域及び第２表示領域を特定する（ステップＳ２３）。具体的には、第１表示領域は、経路及び案内施設に係る施設情報の表示範囲を包含する領域が範囲となるように特定される。そして、地図表示システム１は、第１表示領域以外の領域を第２表示領域に特定する。
【００８７】
次に、地図表示システム１は、第２表示領域をマスクする（ステップＳ２４）。そして、地図表示システム１は、第１表示領域と、マスクされた第２表示領域とを組み合わせて経路案内を表示する（ステップＳ２５）。
【００８８】
なお、各処理は、異なる装置によって、分散、並列又は冗長して行われても良い。
【００８９】
＜他の実施形態＞
クライアント端末１０は、ユーザの現在地（すなわち、クライアント端末１０が位置する現在地）に応じて、経路に含まれる分岐点（例えば、Ｔ字路又は交差点等）等の付近にある施設アイコン又は施設注記を強調（例えば、拡大、点滅、色を変える又はこれらの組み合わせ等）して表示しても良い。
【００９０】
このようにすると、クライアント端末１０のユーザは、経路に含まれる分岐点の付近に存在する案内施設を見落とすことなく、ユーザは、当該分岐点において正しい方向（目的地の方向）に進むことができるようになる。これにより、本実施形態に係る地図表示システム１は、Ｔ字路又は交差点等の地図上の分岐点において、ユーザが迷うことのない経路案内を提供することができる。
【００９１】
具体的には、地図表示システム１は、例えば、経路案内において、以下のように表示する。以下、本実施形態に係る地図表示システム１が提供する経路案内の一例について、図９を参照しながら説明する。
【００９２】
図９は、経路案内画面の一例を説明する図である。
【００９３】
図９に示す経路案内画面１０００は、出発地１１０１から目的地１１０２に向かうための経路１１０３が表示された画面である。この例では、経路１１０３には、分岐点１１１３、分岐点１１２３及び分岐点１１３３が含まれる。なお、以下の説明では、「分岐点」とは、上述したように、地図上のＴ字路又は交差点等のことである。
【００９４】
また、経路案内画面１０００では、経路１１０３の付近（すなわち、経路１１０３の経路沿い）にある各種施設の施設アイコン１３００乃至１７００及び施設注記１８００が表示される。なお、地図上の施設が施設アイコン又は施設注記の何れかで表示されるかは、当該施設に応じてあらかじめ決定されている。
【００９５】
ここで、施設アイコンのうち、経路に含まれる分岐点１１１３、分岐点１１２３及び分岐点１１３３付近にある施設アイコン（例えば、当該分岐点から所定の範囲内にある施設アイコン）を「分岐点アイコン」とも示す。同様に、施設注記のうち、経路に含まれる分岐点１１１３、分岐点１１２３及び分岐点１１３３の付近にある施設注記（例えば、当該分岐点から所定の範囲内にある施設注記）を「分岐点注記」とも示す。したがって、施設アイコン１３００乃至１７００及び施設注記１８００のうち、施設アイコン１３００、施設アイコン１６００及び施設注記１８００は、それぞれ「分岐アイコン１３００」、「分岐点アイコン１６００」及び「分岐点注記１８００」とも示す。
【００９６】
このとき、本実施形態に係るクライアント端末１０は、ユーザの現在地を示す現在地アイコン１２００が、経路に含まれる分岐点に近付いた場合、当該分岐点付近にある分岐点アイコン及び分岐点注記を強調して表示する。すなわち、例えば、現在地アイコン１２００が、経路に含まれる分岐点１１１３に近付いた場合、当該分岐点１１１３付近にある分岐点アイコン１３００及び分岐点注記１８００が拡大して表示される。このため、ユーザは、経路に含まれる分岐点付近にある施設を見落とすことなく、当該施設の位置関係や種類（例えば、飲食店であるか、コンビニであるか等）、名称（例えば、チェーン店の名称）等を知ることができる。
【００９７】
以上のように、本実施形態に係るクライアント端末１０は、ユーザが経路に含まれる分岐点（例えば、Ｔ字路又は交差点等）に近付いた場合、当該分岐点付近にある施設を示すアイコンや注記等を強調して表示する。このため、本実施形態に係る地図表示システム１によれば、例えば、経路に含まれる分岐点においてユーザが誤った方向に進んでしまうような事態を防止することができる。すなわち、本実施形態に係る地図表示システム１によれば、分岐点付近で迷わない経路案内をユーザに提供することができる。
【００９８】
以上のようなアイコンや注記等を強調して表示する処理は、例えば、以下のように実現させる。
【００９９】
表示部１１２（図３）は、一時記憶部１０５から地図情報、経路情報及び施設情報を取得する。そして、表示部１１２は、地図情報に基づく地図に、経路情報に基づく経路と、ユーザの現在地を示す現在地アイコンと、施設アイコンと、施設注記とを重畳して、例えば図１０（ａ）に示す経路案内画面２０００を表示装置１６に表示させる。
【０１００】
図１０は、経路案内画面の表示及び更新の一例を説明する図である。
【０１０１】
なお、現在地アイコンは、サーバ装置２０の情報記憶部２０４（図３）から取得された上で、ステップＳ１４（図４）の検索応答に含めてクライアント端末１０に送信されても良いし、クライアント端末１０の記憶領域（例えば、一時記憶部１０５（図３））にあらかじめ記憶されていても良い。
【０１０２】
図１０（ａ）に示す経路案内画面２０００は、ユーザの現在地を出発地２１０１として、当該出発地２１０１から目的地２１０２に向かうための経路２１０３が表示された画面である。経路２１０３には、分岐点２１１３、分岐点２１２３及び分岐点２１３３が含まれている。なお、経路案内画面２０００では、ユーザの現在地を示す現在地アイコン２２００が出発地２１０１と同一の位置に表示されている。
【０１０３】
また、経路案内画面２０００では、経路２１０３の付近に存在する施設の施設アイコン２３００乃至２７００及び施設注記２８００が表示される。なお、施設アイコン２３００、施設アイコン２６００及び施設注記２８００は、「分岐点アイコン２３００」、「分岐点アイコン２６００」及び「分岐点注記２８００」とも示す。
【０１０４】
さらに、経路案内画面２０００において、各施設アイコン２３００乃至２７００は、経路２１０３に重ならないように、かつ、当該施設アイコン２３００乃至２７００の足が現在地アイコン２２００の位置の方向を向くように表示される。なお、施設アイコンの足とは、当該施設アイコンが示す施設の位置を指し示す三角形状の突起部分のことである。
【０１０５】
このように、本実施形態に係る地図表示システム１では、クライアント端末１０において、ユーザにより出発地や目的地等を含む検索条件が設定されると、当該クライアント端末１０の表示装置１６に、例えば図１０（ａ）に示す経路案内画面２０００を表示させる。このとき、クライアント端末１０の表示装置１６に表示される経路案内画面では、経路沿いに存在する施設を示す施設アイコンが、経路に重ならないように、かつ、当該施設アイコンの足がユーザの現在地の方向を向くように表示される。
【０１０６】
すなわち、本実施形態に係る地図表示システム１では、経路に従ってユーザが目的地に向かう際に目印となるのに必要な施設（経路沿いにある施設）の施設アイコンや施設注記をクライアント端末１０に表示する。一方で、本実施形態に係る地図表示システム１では、経路沿いに存在しない不要な施設の施設アイコンはクライアント端末１０に表示しないようにする。これにより、目的地に向かう際に、目印となる必要な施設の施設アイコンや施設注記をユーザが見落とすような事態を防止することができる。
【０１０７】
次に、図１０（ａ）に示す経路案内画面２０００において、クライアント端末１０のユーザが移動した場合、クライアント端末１０は、当該経路案内画面２０００を、例えば図１０（ｂ）に示す経路案内画面３０００に更新する。
【０１０８】
図１０（ｂ）に示す経路案内画面３０００は、クライアント端末１０のユーザが出発地２１０が示す位置から現在地アイコン２２００が示す位置まで移動した場合における表示される画面である。すなわち、図１０（ｂ）に示す経路案内画面３０００は、ユーザの現在位置が、経路２１０３に含まれる分岐点２１１３に近付いた場合（分岐点２１１３から所定の範囲に到達した場合）に表示される画面である。
【０１０９】
このとき、図１０（ｂ）に示す経路案内画面３０００では、施設アイコン２３００乃至２７００の足が現在地アイコン２２００の位置の方向を向くように表示されると共に、分岐点２１１３付近の分岐点アイコン２３００及び分岐点注記２８００が拡大して表示される。これにより、クライアント端末１０のユーザは、分岐点２１１３に近付いた場合に、当該分岐点２１１３付近にある施設を見落とすことなく、容易に認識することができると共に、当該施設の位置関係を把握することができるようになる。
【０１１０】
したがって、本実施形態に係る地図表示システム１は、ユーザが分岐点に近付いた場合に、当該分岐点（例えば、Ｔ字路又は交差点等）付近にある施設を強調して表示することで、分岐点においてユーザが迷うことのない経路案内を提供することができる。
【０１１１】
なお、図１０（ｂ）に示す経路案内画面３０００では、強調表示の一例として、施設アイコンが拡大して表示される場合を示したが、これに限られない。例えば、強調表示は、施設アイコンの点滅、動的なアニメーションによる表示、色を変える又はこれらの組み合わせ等でも良い。
【０１１２】
また、本実施形態では、経路沿いの施設アイコン及び施設注記を情報記憶部２０４から取得するとしたが、これに限られず、例えば、検索された経路に対応する地図情報に基づく地図上のすべての施設アイコン及び施設注記を取得しても良い。この場合、ステップＳ１８（図４）で、クライアント端末１０において、経路沿いの施設アイコン及び施設注記のみを表示するようにすれば良い。
【０１１３】
続いて、ユーザの移動により経路案内画面が更新される場合（すなわち、例えば、図１０（ａ）に示す経路案内画面２０００において、ユーザの移動により、図１０（ｂ）に示す経路案内画面３０００が表示される場合）の処理について、説明する。なお、以降で説明する経路案内画面の更新処理は、所定の時間（例えば、数ミリ秒乃至数秒）毎に実行される。
【０１１４】
まず、クライアント端末１０の現在地取得部１０３（図３）は、ユーザの現在地（すなわち、クライアント端末１０のＧＰＳ受信機１８により測定された緯度及び経度）を取得する。
【０１１５】
次に、クライアント端末１０の表示処理部１０２（図３）は、更新部１２２（図３）により、地図上におけるユーザの現在地を示す現在地アイコンの位置（表示位置）を更新する。すなわち、更新部１２２は、地図上における現在地アイコンの表示位置を、ユーザの現在地を取得する処理で取得された現在地に対応する位置となるように更新する。
【０１１６】
次に、クライアント端末１０の表示処理部１０２は、更新部１２２により、更新された現在地アイコンの位置に応じて、地図上に表示される施設アイコンの位置を更新する。ここで、施設アイコンの表示位置の更新について、図１１を参照しながら説明する。
【０１１７】
図１１は、施設アイコンの表示位置の更新例を説明する図である。図示するように、現在地アイコンＰが位置Ｑにあるとき、施設Ｒを示す施設アイコンＡの表示位置は、当該施設アイコンＡの足が位置Ｑの方向を向くような位置で表示される。
【０１１８】
このとき、現在地アイコンＰが位置Ｑから位置Ｑ´に移動した場合、施設Ｒを示す施設アイコンＡの表示位置は、当該施設アイコンＡの足が位置Ｑ´の方向となるように更新される。なお、施設アイコンＡの表示位置を更新した結果、当該施設アイコンＡが経路に重なる場合には、例えば、施設アイコンＡの表示位置は、経路と重ならない範囲で回転させることにより更新される。
【０１１９】
このように、地図上の各施設アイコンの表示位置は、各施設アイコンの足が現在地アイコンの方向を向くように更新される。これにより、各施設アイコンの足が現在地アイコンを中心として放射状に表示されるため、各施設の位置関係を把握し易い経路案内を提供することができるようになる。
【０１２０】
上記のような施設アイコンの位置の更新に続いて、クライアント端末１０の表示処理部１０２は、更新部１２２により、更新された現在地アイコンの位置から所定の範囲内に、分岐点アイコン又は分岐点注記があるか否かを判定する。すなわち、更新部１２２は、更新された現在地アイコンの位置が、経路の分岐点に近付いたか否かを判定する。
【０１２１】
現在地アイコンの位置から所定の範囲内に分岐点アイコン又は分岐点注記があると判定された場合、更新部１２２は、当該所定の範囲内にある分岐点アイコン又は／及び分岐点注記が強調表示されるように更新する。すなわち、更新部１２２は、現在地アイコンから所定の範囲内にある分岐点アイコンや分岐点注記が、例えば拡大して表示されるように当該分岐点アイコンや分岐点注記の表示サイズ等を更新する。
【０１２２】
なお、上述したように、更新部１２２により更新される分岐点アイコンや分岐点注記の強調表示の態様は、拡大表示に限られない。更新部１２２は、例えば、分岐点アイコンや分岐点注記が点滅して表示されるように更新しても良いし、アニメーションにより動的に表示されるように更新しても良い。このように、強調表示の態様は、分岐点アイコンや分岐点注記が目立つように表示される態様であれば良く、種々の表示対象が挙げられる。
【０１２３】
また、更新部１２２は、現在地アイコンの位置に応じて、分岐点アイコンや分岐点注記の強調表示の態様が異なるようにしても良い。例えば、現在地アイコンと分岐点アイコンとが５００ｍ以内にある場合、当該分岐点アイコンを２倍の大きさで表示するようにする一方、現在地アイコンと分岐点アイコンとが１００ｍ以内にある場合、当該分岐点アイコンを４倍の大きさで表示するようにしても良い。
【０１２４】
次に、クライアント端末１０の表示処理部１０２は、表示部１１２により、更新された現在地アイコン、施設アイコン及び施設注記に基づいて、経路案内を表示する。すなわち、表示部１１２は、更新された現在地アイコン、施設アイコン及び施設注記を、地図上に重畳して表示させる。
【０１２５】
なお、上記の処理で取得した現在地に対応する地図情報が一時記憶部１０５に記憶されていない場合、クライアント端末１０は、当該現在地に対応する地図情報の取得をサーバ装置２０に要求すれば良い。すなわち、ユーザが一時記憶部１０５に記憶されている地図情報に基づく地図の外に移動した場合には、移動後の現在地に対応する地図情報をサーバ装置２０から取得すれば良い。
【０１２６】
以上のように、本実施形態に係るクライアント端末１０では、当該クライアント端末１０のユーザの移動に応じて、施設アイコンの足がユーザの現在位置の方向を向くように表示すると共に、分岐点付近の施設アイコンや施設注記を強調表示する。これにより、本実施形態に係るクライアント端末１０では、地図上の各施設の位置関係を容易に把握することができると共に、Ｔ字路や交差点等の分岐点においてもユーザが迷うことのない経路案内を提供することができる。ここで、本実施形態に係る地図表示システム１により提供される経路案内画面の他の例について、図１２を参照しながら説明する。
【０１２７】
図１２は、経路案内画面の他の例を示す図である。
【０１２８】
図示する経路案内画面４０００には、図１０（ａ）に示した経路案内画面２０００と同様に、出発地２１０１から目的地２１０２に向かうための経路２１０３が表示されている。また、同様に、当該経路２１０３の付近に存在する施設を示す施設アイコン２３００乃至２７００及び施設注記２８００が表示されている。
【０１２９】
このとき、図１２に示す経路案内画面４０００では、分岐点アイコン２３００が示す施設の家形枠２３１０、分岐点アイコン２６００が示す施設の家形枠２６１０及び施設注記２８００が示す施設の家形枠２８１０が表示される。このように、経路案内画面４０００では、経路の分岐点付近にある施設の家形枠を表示する。
【０１３０】
これにより、ユーザは、分岐点アイコンや分岐点注記が示す施設の位置関係と共に、当該施設の形状を知ることができる。このため、Ｔ字路や交差点等の分岐点において、施設の位置関係に加えて、施設の形状を把握することができるため、Ｔ字路や交差点等の分岐点においてもユーザが迷うことのない経路案内を提供することができる。
【０１３１】
なお、図１２に示す経路案内画面４０００では、経路２１０３に含まれる分岐点２１２３付近には分岐点アイコン及び分岐点注記が表示されていない。これは、分岐点２１２３付近には、施設アイコンや施設注記が表示される施設が存在しないためである。このような場合において、例えば、経路２１０３に含まれる分岐点２１２３付近に一般住宅等がある場合には、当該一般住宅等の家形枠を強調表示させても良い。
【０１３２】
これにより、例えば、施設アイコンや施設注記が表示される施設（例えば、商業施設等）が分岐点付近に存在しない場合においても、ユーザは、一般住宅等の家形枠を参考にすることができるため、ユーザが迷うことのない経路案内を提供することができる。
【０１３３】
なお、図９乃至図１２に示す表示では、経路及び案内施設に係る施設情報以外の領域がマスク処理されてもよい。
【０１３４】
＜変形例＞
なお、マスク処理は、図７等で図示するように、グレーアウトを行う処理に限られない。例えば、マスク処理は、第１表示領域を明るくする処理等でも良い。他にも、マスク処理は、例えば、第２表示領域が表示される透過率を変更する処理、第２表示領域を所定の色で塗り潰す処理、又は、第２表示領域を何れかの端からグラデーションにして表示する処理等でも良い。すなわち、マスク処理は、第２表示領域の明るさを変えたり、所定の色で塗り潰したりする等の別の表示に変更する処理であれば良い。
【０１３５】
また、施設情報及び経路は、例えば、ユーザの移動手段によって異なる検索結果であっても良い。具体的には、例えば、移動手段は、車両、徒歩、自転車又は電車等である。このような移動手段が、例えば、検索条件として、ユーザによる操作によって設定される。そして、サーバ装置は、設定された移動手段に基づいて、経路又は案内施設等を検索する。したがって、地図表示システム１は、ユーザが用いる移動手段を考慮して、移動手段に適した経路又は案内施設等を表示しても良い。
【０１３６】
他にも、第１表示領域及び第２表示領域は、常に一定でなくとも良い。例えば、地図表示システム１は、ユーザの移動速度、天気、時刻、ユーザの属性、曲がり角か否か、目的地の周辺か否か又はこれらの組み合わせによって、第１表示領域及び第２表示領域のそれぞれの範囲を変更しても良い。
【０１３７】
具体的には、例えば、ユーザの移動速度が速い場合には、第１表示領域が狭くなるように表示しても良い。ユーザの移動速度が速い場合は、ユーザが、現在地周辺の地理に詳しい場合が多い。つまり、詳しいと考えられる位置の地図は、あまり見えなくとも移動に支障がない場合が多い。そこで、ユーザの移動速度が速くなると、地図表示システム１は、マスク処理される範囲を拡大するように変更しても良い。
【０１３８】
また、例えば、現在地が曲がり角の周辺であったり、又は、目的地の周辺に近づいてきたりすると、地図表示システム１は、第１表示領域となる範囲を拡大するように変更しても良い。
【０１３９】
他にも、ユーザの属性等を考慮して、地図表示システム１は、第１表示領域及び第２表示領域のそれぞれの範囲を変更しても良い。具体的には、ユーザの属性は、例えば、身長又は視力等のプロフィール情報である。そして、視力が良いユーザ又は身長の高いユーザは、見える範囲が広い場合が多い。このように、ユーザのプロフィールを参照して、地図表示システム１は、それぞれのユーザに合わせた第１表示領域に変更しても良い。
【０１４０】
なお、ユーザの移動速度、天気、時刻又はユーザの属性等の情報は、クライアント端末１０又はサーバ装置２０に、あらかじめインストールされている他のアプリケーション等から取得されたり、又は、あらかじめユーザによって入力されたりして取得される情報である。
【０１４１】
また、第２表示領域は、常にマスクされた状態でなくとも良い。例えば、地図表示システム１は、ユーザの現在位置が屋内か否かによって、マスクの表示を変更しても良い。具体的には、例えば、図１３に示すような表示としても良い。
【０１４２】
図１３は、屋内用の経路案内画面の例を示す図である。図示する例は、地下鉄の駅に、ユーザが入った場合の経路案内画面の例である。すなわち、ユーザの現在位置は、駅内であって、屋内である。
【０１４３】
このような場合には、地図表示システム１は、まず、第２表示領域に対して付けているマスクを外す。次に、図示するように、地図表示システム１は、ユーザがいる建物部分、すなわち、この例では、駅の施設となる範囲以外の部分をマスクする。図示するように、マスク範囲ＭＳＫは、ユーザがいる施設以外の箇所、すなわち、駅の建物以外の範囲となる。このように、地図表示システム１は、ユーザが駅の建物に入ると、マスク範囲ＭＳＫを変更しても良い。
【０１４４】
また、地図表示システム１は、ユーザ操作、モード又は移動区間等に基づいてマスクを行うか否かを切り替えても良い。例えば、出発地及び目的地を設定する等のモードと、経路案内画面を表示してユーザに案内を行うモードとが分かれている場合がある。経路案内画面は、例えば、図７に示すように、ユーザの現在位置に追従した表示画面となる場合が多い。
【０１４５】
さらに、経路によって、電車を使用する区間が含まれる場合がある。このように、ユーザの現在位置に追従したモード、又は、電車を使用する区間等では、地図表示システム１は、例えば、図７のように、第２表示領域をマスクして表示する。一方で、例えば、出発地及び目的地を設定するモードであったり、ユーザが画面を変更するためスクロールする操作又は画面を拡大若しくは縮小させるためにピンチする操作を入力している間であったりすると、地図表示システム１は、マスクを外すようにする。このように、モード等に応じて、地図表示システム１は、マスクを行うか否かを切り替えても良い。
【０１４６】
＜まとめ＞
以上のように、本実施形態に係る地図表示システム１は、ユーザに対して、目的地までの経路案内を提供する。しかも、本実施形態に係る地図表示システム１は、経路をユーザが進行する上で、目印又は曲がり角に存在する案内施設を特定し、案内施設を強調等して地図上に表示する。
【０１４７】
そして、地図表示システム１は、地図の表示において、案内施設に係る施設情報がマスクされてしまい、案内施設に係る施設情報がマスクによって隠れないようにする。このようにすると、ユーザは、表示されている地図を見る上で、案内施設に係る施設情報がマスクで隠れないため、地図が見やすい。
【０１４８】
このように、本実施形態に係る地図表示システム１は、地図を見やすく表示して、経路案内を提供することができる。
【０１４９】
なお、本実施形態では、経路の分岐点付近にある施設の施設アイコンや施設注記を強調表示したが、例えば、施設アイコンや施設注記を強調表示する施設の種類を絞り込めるようにしても良い。これにより、例えば、施設の種類として「コンビニ」が設定された場合には、経路の分岐点付近にある施設のうち、コンビニを示す施設の施設アイコンや施設注記を強調表示することができるようになる。
【０１５０】
また、分岐点の角の位置にある施設であることを示す角情報が対応付けられた施設データをサーバ装置２０の情報記憶部２０４に記憶しておき、サーバ装置２０の情報取得部２０２は、角情報に基づいて、分岐点の角の位置にある施設の施設アイコンや施設注記を情報記憶部２０４から取得するようにしても良い。これにより、サーバ装置２０の情報取得部２０２は、角情報に基づいて、分岐点付近にある施設の施設アイコンや施設注記を容易に取得することができるようになる。
【０１５１】
また、本実施形態において、ユーザは、経路案内画面１０００と、当該経路案内画面１０００とは異なる表示態様の経路案内画面とを切り替えることができても良い。ここで、当該異なる表示態様の経路案内画面には、経路案内画面１０００とは異なる表示態様で分岐点注記や分岐点アイコンが強調表示（例えば、点滅やアニメーション等）される画面に限られず、分岐点注記や分岐点アイコンが強調表示されない画面も含まれる。なお、切り替え操作は、ユーザが画面上に表示された所定の表示部品をタップ操作等して切り替える方法等が挙げられる。これにより、様々な表示態様で分岐点付近の施設アイコンや施設注記が表示される経路案内画面をユーザに提供することができるようになる。
【０１５２】
本発明は、具体的に開示された上記の実施形態に限定されるものではなく、特許請求の範囲から逸脱することなく、種々の変形や変更が可能である。
【符号の説明】
【０１５３】
１        地図表示システム
１０      クライアント端末
２０      サーバ装置
１０１    入力受付部
１０２    表示処理部
１０３    現在地取得部
１０４    通信部
１０５    一時記憶部
１０６    特定処理部
１０７    マスク処理部
１１２    表示部
１２２    更新部
２０１    検索処理部
２０２    情報取得部
２０３    通信部
２０４    情報記憶部
Ｎ        ネットワーク
【図１】
2018031647.tif 000003
【図２】
2018031647.tif 000004
【図３】
2018031647.tif 000005
【図４】
2018031647.tif 000006
【図５】
2018031647.tif 000007
【図６】
2018031647.tif 000008
【図７】
2018031647.tif 000009
【図８】
2018031647.tif 000010
【図９】
2018031647.tif 000011
【図１０】
2018031647.tif 000012
【図１１】
2018031647.tif 000013
【図１２】
2018031647.tif 000014
【図１３】
2018031647.tif 000015